(57)【要約】    【課題】旧来のLo-Coカード用の磁気ヘッドを備える磁気カードリーダーをHi-Coカードを読み取り可能にし、しかも安価で高い読取精度を実現する。    【解決手段】磁気カードを読み書きするための磁気ヘッドと、前記磁気ヘッドへ磁気カードを案内する搬送路の底面を形成するベースと、前記磁気ヘッドを覆う所定厚さの薄板状部材と、前記磁気カードを搬送して前記磁気ヘッド上を通過させる搬送ベルトとを備え、前記薄板状部材は前記磁気カードが搬送される搬送方向に沿って前記磁気ヘッドの手前から奥にかけて配置され、前記搬送ベルトは前記搬送方向に前記磁気ヘッドと並行して配置されてなることを特徴とする磁気カードリーダー。【選択図】図１
2012027707.tif 000002
【特許請求の範囲】
【請求項１】
磁気カードを読み書きするための磁気ヘッドと、
前記磁気ヘッドへ磁気カードを案内する搬送路の底面を形成するベースと、
前記磁気ヘッドを覆う所定厚さの薄板状部材と、
前記磁気カードを搬送して前記磁気ヘッド上を通過させる搬送ベルトとを備え、
前記薄板状部材は、前記磁気カードが搬送される搬送方向に沿って前記磁気ヘッドの手前から奥にかけて配置され、
前記搬送ベルトは、搬送方向手前側と奥側の２本のローラに架けられて上面が搬送路底面より高くなるように配置され、前記搬送方向に前記磁気ヘッドと並行して配置されることを特徴とする磁気カードリーダー。
【請求項２】
搬送方向手前側の前記ローラは、その回転軸が前記薄板状部材の搬送方向手前側の端と等しいかまたはさらに手前側の位置に配置されてなる請求項１に記載の磁気カードリーダー。
【請求項３】
搬送方向奥側の前記ローラは、その回転軸が前記薄板状部材の搬送方向奥側の端と等しいかまたはさらに奥側の位置に配置されてなる請求項１または２に記載の磁気カードリーダー。
【請求項４】
前記薄板状部材は、非磁性の金属からなる請求項１〜３の何れか一つに記載の磁気カードリーダー。
【請求項５】
前記薄板状部材は、ステンレス鋼からなる請求項４に記載の磁気カードリーダー。
【請求項６】
前記薄板状部材は、手前と奥の端部が前記ベース上に貼付され、厚さが略５０μｍである請求項１〜５の何れか一つに記載の磁気カードリーダー。
【請求項７】
前記磁気ヘッドは、低保持力磁気カード用のものである請求項１〜６の何れか一つに記載の磁気カードリーダー。
【発明の詳細な説明】
【技術分野】
【０００１】
この発明は、磁気カードを搬送して磁気ヘッド上を通過させ、前記磁気カードの読み取りを少なくとも行う磁気カードリーダーに関する。
【背景技術】
【０００２】
磁気ストライプに各種データを記憶させた磁気カードがクレジットカードなどとして幅広く普及している。
【０００３】
近年、カード偽造問題や耐久性の問題からHi-Coカードという高保磁力磁気ストライプが用いられるようになった。Hi-Coは、High coercivityの略であって、Hi-Coカードは高保磁力磁気ストライプを有するカードのことである。このHi-Coカードは、JIS X 6302-6 2005にその磁気特性、位置、各トラックの位置、記録方式、記録密度、文字集合などの特性が規定されている。以下、この明細書においてHi-Coカードは、JIS X 6302-6 2005に規定される磁気ストライプを備えるカードをいうものとする。Hi-Coカードに対し旧来のカード（以下、低保磁力カードあるいはLo-Coカードという）も依然として使用されており、市場ではHi-CoカードとLo-Coカードが混在している。
【０００４】
これらの磁気カードは、磁気カードリーダーで読み取ることができ、また、書き込むことができる。磁気カードリーダーは、挿入された磁気カードを搬送ベルトにより搬送し、磁気ヘッドに圧接して記録されたデータの読み取りまたはデータの書き込みを行う。この種のカードリーダーは、例えば、ＡＴＭなどの装置に取り付けられている。搬送ベルトと並行して、耐摩耗性にすぐれた加圧搬送機構を備えるものが提案されている（例えば、特許文献１参照）。
ところが、旧来のLo-Coカード用の磁気ヘッドを備える磁気カードリーダーでHi-Coカードを読み取ると、読み取られた磁気信号の波形が崩れてしまい正しく読み取れないことがある。その場合、カードリーダーは読取エラーと認識してしまう。
【０００５】
そこで例えば、磁気カードの仕様に応じて異なる種別の磁気ヘッドを搭載可能にかつ磁気ヘッドの種別を識別する機能、および、磁気ヘッドの種別に応じて切り換え可能な回路を備える構成が提案されている。そのような構成により、異なる種別の磁気カードに対して磁気ヘッド部以外を共用できるよう予め設計しておくことを可能にするためである（例えば、特許文献２参照）。
【先行技術文献】
【特許文献】
【０００６】
【特許文献１】特開２００２−１３３３７０号公報
【特許文献２】特開２００５−２６７７１０号公報
【発明の概要】
【発明が解決しようとする課題】
【０００７】
Lo-Coカード用磁気カードリーダーにHi-Coカードを読み取らせた場合の読取エラー発生を回避する方法の一つとして、磁気カードの搬送速度、いわゆるヘッドスピードの調整が考えられる。搬送速度をより早くすると読み取られた磁気信号の強度が下がることを利用する方法である。しかし、この方法は磁気カードリーダーのファームウェア変更などを伴うため、作業が非常に煩雑である。
【０００８】
読取エラーを回避する別の方法としては、磁気カードリーダーの全部または一部をHi-Coカードにも対応するよう設計された新規のものと置き換えることも考えられる。しかし、この方法は、費用的負担が大きい。磁気カードリーダーがユニット化されておらず、他の機構部分と一体化された態様にあってはなおさらである。
【０００９】
磁気ヘッドの種別を識別する機能と種別に応じた切り換え回路を備える手法は、今後の設計には適用できても、すでにLo-Coカード専用に設計された磁気カードリーダーに対して適用することはできない。もし、事後的にこのような構成に改造しようとするならば、磁気カードリーダーの全部または一部を新規のものと置き換えるに等しく、費用的な負担が大きい。
この発明は、以上のような事情を考慮してなされたものであって、旧来のLo-Coカード用の磁気ヘッドを備える磁気カードリーダーをHi-Coカードを読み取り可能にし、しかも安価で高い読取精度を実現する手法を提供するものである。
【課題を解決するための手段】
【００１０】
この発明は、磁気カードを読み書きするための磁気ヘッドと、前記磁気ヘッドへ磁気カードを案内する搬送路の底面を形成するベースと、前記磁気ヘッドを覆う所定厚さの薄板状部材と、前記磁気カードを搬送して前記磁気ヘッド上を通過させる搬送ベルトとを備え、前記薄板状部材は前記磁気カードが搬送される搬送方向に沿って前記磁気ヘッドの手前から奥にかけて配置され、前記搬送ベルトは前記搬送方向に前記磁気ヘッドと並行して配置されてなることを特徴とする磁気カードリーダーを提供する。
【発明の効果】
【００１１】
この発明の磁気カードリーダーにおいて、前記薄板状部材は、前記磁気カードが搬送される搬送方向に沿って前記磁気ヘッドの手前から奥にかけて配置され、前記搬送ベルトは、前記搬送方向に前記磁気ヘッドと並行して配置されているので、前記薄板状部材によって磁気ヘッドとその上を通過する磁気カードとの間に所定の間隔を確保して磁気信号の強度を弱めることができる。よって、旧来のLo-Coカード用の磁気ヘッドを備える磁気カードリーダーであっても、前記薄板状部材を追加することによってHi-Coカードを読み取り可能にできる。即ち、安価な変更で高い読取精度を実現することができる。
【００１２】
この発明において、磁気ヘッドは、磁気ストライプを読み取るためのものである。一般的には、磁路を構成する磁性体のコアとそのコアに巻かれたコイルで構成される。
搬送路は、カードの挿入口に挿入された磁気カードを磁気ヘッドまで案内する経路である。好ましくは、搬送路は略水平であり、磁気ヘッドは搬送路の底面側に配置される。
ベースは、搬送路の底面を構成する部材である。ただし、搬送路上に磁気ヘッドや搬送ベルトを配置する部分はベースに開口部が設けられる。
【００１３】
薄板状部材は、搬送される磁気カードが磁気ヘッドに直接接触しないように磁気ヘッドを覆う部材である。磁気ヘッドと磁気カード上の磁気ストライプとを所定の間隔に保つために薄板状部材は所定の厚さを有している。また、磁気ストライプと磁気ヘッドとの間が磁気的にシールドされないように前記薄板状部材は非磁性体からなる。後述する実施形態におけるステンレスシートは、前記薄板状部材に相当する。
搬送ベルトは、磁気カードを搬送路に沿って搬送し前記磁気ヘッド上を通過させるためのものである。搬送ベルトは搬送方向に沿って手前側と奥側の２つのローラの間に架けられ、上面が搬送路底面より高くなるように配置される。
【図面の簡単な説明】
【００１４】
【図１】この発明の磁気カードリーダーにおいて搬送路上に配置される磁気ヘッド、搬送ベルトおよび薄板状部材を示す平面図である。
【図２】この発明の磁気カードリーダーの搬送路を側面から見た構成を示す側面図である。
【図３】図１の搬送路上の配置およびステンレスシートのベースへの取り付けの態様を示す分解斜視図である。
【図４】この発明に係る磁気カードリーダーがHi-Coカードを読み取る場合の信号波形を模式的に示す波形図である。
【発明を実施するための形態】
【００１５】
以下、この発明の好ましい態様について説明する。
搬送方向手前側の前記ローラは、その回転軸が前記薄板状部材の搬送方向手前側の端と等しいかまたはさらに手前側の位置に配置されてもよい。このようにすれば、搬送ベルトの搬送方向手前側に磁気カードの先端が載り、前記先端が搬送路底面から浮いた後にその磁気カード先端が前記薄板状部材の搬送方向手前側先端を通過させることができる。よって、磁気カード先端が前記薄板状部材の搬送方向手前側先端に衝突して磁気ストライプが削れたり磁気カードが破損したりする不具合を回避することができる。即ち、磁気カードを傷つけることなく安定して搬送することができる。
【００１６】
また、搬送方向奥側の前記ローラは、その回転軸が前記薄板状部材の搬送方向奥側の端と等しいかまたはさらに奥側の位置に配置されてもよい。このようにすれば、磁気カードが前記薄板状部材の搬送方向奥側先端のエッジによって磁気ストライプが削られたり磁気カードが擦れたりするといった不具合を回避することができる。即ち、磁気カードを傷つけることなく安定して搬送することができる。
【００１７】
さらにまた、前記薄板状部材は、非磁性の金属からなっていてもよい。このようにすれば、磁気カードの磁気ストライプと磁気ヘッドとの間が磁気的に遮蔽されることがないので安定して高い精度で磁気ストライプを読み取ることができる。
【００１８】
前記薄板状部材は、ステンレス鋼からなっていてもよい。ステンレス鋼は非磁性体でありかつ耐久性に優れる。よって、多数の磁気カードの読み取りに対しても安定して高い精度で磁気ストライプを読み取ることができる。
【００１９】
前記薄板状部材は、手前と奥の端部が前記ベース上に貼付され、厚さが略５０μｍであってもよい。前記薄板状部材が分厚すぎると磁気信号が弱くなりすぎて読み取り障害が生じ、逆に薄すぎると磁気信号が強すぎて読み取り障害が生じてしまう。前記薄板状部材には好適な厚さが存在する。前記薄板状部材の厚さが略５０μｍであれば安定して高い精度で磁気ストライプを読み取ることができることが実験によって見出されている。
【００２０】
また前記磁気ヘッドは、低保持力磁気カード用のものでもよい。Lo-Coカード専用に設計された磁気カードリーダーに対し、この発明を適用することでHi-Coカードを読み取り可能にし、高い読取精度を実現することができる。
ここで示した種々の好ましい態様は、それら複数を組み合わせることもできる。
【００２１】
以下、図面を用いてこの発明をさらに詳述する。なお、以下の説明は、すべての点で例示であって、この発明を限定するものと解されるべきではない。
≪磁気カードリーダーの機構的構成≫
図１は、この発明の磁気カードリーダーにおいて搬送路上に配置された磁気ヘッド、搬送ベルトおよび薄板状部材を示す平面図である。
図２は、この発明の磁気カードリーダーの搬送路を側面から見た構成を示す側面図である。
図３は、図１の搬送路上の配置およびステンレスシートのベースへの取り付けの態様を示す分解斜視図である。
【００２２】
図１で、磁気カード１３の裏面側には磁気ストライプ１５があり、その部分に読み取るべき情報が記録されている。磁気カード１３は、ユーザーによって図示しない挿入口から磁気カードリーダー１１内に挿入される。挿入口の奥には磁気カード１３を案内する搬送路が形成されている。前記搬送路は、その下側が主としてベース２１によって構成されている。
【００２３】
また、その上側は、図１に図示しない上部ユニット３５によって構成されている。挿入口から少し奥へ進んだところには、挿入された磁気カード１３を搬送する搬送ベルト３１が配置されている。搬送ベルト３１は、駆動ローラ２７とテンションローラ２９とに架けられており、その上部は搬送路を構成するベース２１の表面から突出するように配置されている。駆動ローラ２７と対向するように前述の上部ユニット３５に圧接ローラ３３ａが取り付けられている。また、テンションローラ２９と対向するように上部ユニット３５圧接ローラ３３ｂが取り付けられている。
【００２４】
図２に上部ユニット３５の構成を示している。上部ユニット３５は、ベース２１にヒンジ３９を用いて取り付けられており、ヒンジ３９を中心に上方へ回動することによりメンテナンス等のために搬送路を開放することができる。図２は、搬送路が開放された状態を示しているが、磁気カード１３を読み取る場合は矢印Ｂの方向へ閉じられてベース２１上面と対向する。上部ユニット３５には圧接ローラ３３ａおよび３３ｂが取り付けられており、上部ユニット３５が閉じられた状態で、圧接ローラ３３ａは搬送ベルト３１を介して駆動ローラ２７と接する。圧接ローラ３３ｂは、搬送ベルト３１を介してテンションローラ２９と接する。
【００２５】
磁気カード１３の先端が挿入口から搬送路に挿入されると、挿入口付近に設けられた図示しない第１のセンサーにより磁気カード１３の挿入が検出される。検出に応答して駆動ローラ２７が回転し、搬送ベルトの搬送路上に突出した部分は、矢印Ａで示す搬送方向へ移動する。磁気カード１３は、その先端が駆動ローラ２７のある位置に達すると、下側は搬送ベルト３１に、上側は圧接ローラ３３ａに挟まれて搬送され、搬送路の奥にある磁気ヘッド２３へと導かれる。第１のセンサーおよびその検出に応答して駆動ローラ２７を駆動する機構は、特許文献１に記載されたものと同様の構造を有している。
【００２６】
さらに搬送路の奥へ進んだ磁気カード１３は、その磁気ストライプ１５のある部分が搬送ベルト３１と平行に配置されたステンレスシート２５の上を移動し、磁気ヘッド２３の上を通過する。磁気ヘッド２３は、その上方を通過する磁気ストライプ１５に記録されたデータを読み取る。
【００２７】
磁気ストライプ１５が磁気ヘッド２３上を通過し終えて磁気カード１３が所定の位置まで達すると、図示しない第２のセンサーが磁気カード１３を検出する。検出に応答して駆動ローラ２７の回転が停止し、その後、逆方向に回転を始める。搬送ベルト３１は矢印Ａと逆方向に移動し、磁気カード１３は搬送された経路を逆に辿って挿入口から排出される。さらに、第１のセンサーによって磁気カード１３の排出が検出される。その検出に応答して、駆動ローラ２７の回転は停止する。磁気カードはその一端が挿入口から外部へ突き出た状態で搬送が終了する。この状態で、ユーザーはカードを挿入口から抜き取ることができる。
【００２８】
ステンレスシート２５は、磁気ヘッド２３の上に、かつ搬送ベルト３１と並行するように配置されている。ステンレスシート２５の両端部は、両面テープ３７ａ、３７ｂによってベース２１に固定されている。搬送方向に直行する方向において、ステンレスシート２５の中心が磁気ヘッドの中心と一致するように配置することが好ましい。
磁気ヘッド２３上にステンレスシート２５を配置することにより、以下の効果が得られる。
（１）磁気カードと磁気ヘッドの間に所定のギャップが生まれる。よって、ギャップがない場合に比べて磁気ヘッド２３に届く磁力が弱まる。その結果、磁気ストライプ１５が通過する際に磁気ヘッド２３に誘導される電流は、ギャップがない場合に比べて小さくなる。
【００２９】
（２）搬送ベルトと平行にステンレスシート２５を配置することにより、磁気カード１３がステンレスシート２５上を移動するとき磁気カード１３にかかる摩擦力は磁気カード１３がベース２１上を移動するときよりも大きくなる。そのため、磁気ストライプ１５が磁気ヘッド２３上を通過するスピードは、ステンレスシート２５がない場合に比べて若干遅くなる。磁気カード１３と搬送ベルト３１との間に滑りが生じるためと考えられる。よって、ステンレスシート２５がない場合に比べて磁気ストライプ１５を読み取る時間的余裕が生まれると共に、磁気ヘッド２３が検出する磁力の変化が緩やかになり、磁気ヘッド２３に誘導される電流はより小さくなる。
【００３０】
駆動ローラ２７の回転軸は、矢印Ａで示す搬送方向に対して手前側のステンレスシート２５の端部に対し、所定の距離ｄ１だけ手前に配置される。その理由は、次のとおりである。挿入された磁気カード１３の先端が駆動ローラ２７の回転軸の位置に達した後は、ベース２１の表面からやや突出して搬送ベルト３１が配置されているため、磁気カード１３がベース２１表面から若干浮き上がる。磁気カード１３は、その下側を搬送ベルト３１および駆動ローラ２７に、上側を圧接ローラ３３ａに挟まれるため、磁気ストライプ１５のある部分もベース２１表面から若干浮き上がる。その後、距離ｄ１だけ磁気カード１３が進んで磁気ストライプの先端がステンレスシート２５の端部に達しても、前記端部と衝突して衝撃により磁気ストライプ１５が削られたり本体の磁気カード１３が破損してしまったりする不具合を回避できる。ステンレスシート２５は、厚さ５０μｍ程度の薄いものであるが、そうであってもベース２１の上面に貼り付けられるとその端部によって搬送方向に略垂直な段差が形成される。この段差に磁気カード１３の先端がまともに衝突すると、磁気ストライプ１５あるいは磁気カード１３が傷ついてしまう。
【００３１】
また、ステンレスシート２５の搬送方向奥側の端部についても、搬送ベルト３１の途中に前記端部が位置すると、前記端部のエッジで磁気ストライプ１５が削られたり磁気カード１３が擦れてしまったりするおそれがある。よって、テンションローラ２９の回転軸は、矢印Ａで示す搬送方向に対して奥側のステンレスシート２５の端部に対し、所定の距離ｄ２だけ奥に配置される。このようにすれば、磁気カード１３は、その下側を搬送ベルト３１およびテンションローラ２９に、上側を圧接ローラ３３ｂに挟まれるため、磁気ストライプ１５のある部分がベース２１表面から若干浮き上がった状態でステンレスシート２５の奥側端部を通過する。よって、前記端部のエッジで磁気ストライプ１５が削られたり磁気カード１３が擦れてしまったりする不具合を回避できる。
【００３２】
以上によれば、ステンレスシート２５の搬送方向の長さは、駆動ローラ２７とテンションローラ２９の軸間の長さに等しいかそれよりも短い。
≪Hi-Coカードの読み取りエラーについて≫
Lo-Coカード用の磁気カードリーダーでHi-Coカードを読み取る場合に読取エラーが発生する現象について発明者の知見を述べる。
【００３３】
図４は、この発明に係る磁気カードリーダーがHi-Coカードを読み取る場合の信号波形を模式的に示す波形図である。図４（ａ）は、Lo-Coカードを読み取る場合の波形、即ち、正常な波形を、（ｂ）は対比例としてステンレスシートがなく読取エラーが発生する場合の波形、即ち、読取エラー発生時の波形を、（ｃ）はこの発明の磁気カードリーダーでHi-Coカードを読み取る場合の正常な波形の例を示す。
【００３４】
（ａ）は、この発明の磁気カードリーダーでLo-Coカードを読み取った場合の正常な波形の例である。信号は２値であり、Loレベルは0（ゼロ）、Hiレベルは1に対応する。波形のレベルで信号の値を判断する。この発明の磁気カードリーダーは、本来Lo-Coカード用に設計されたものを主な対象としており、その磁気ヘッド部分に薄板状部材を取り付けてHi-Coカードを読み取り可能にするものである。薄板状部材を取り付けると磁気ヘッドに届く磁力が弱まるが、Lo-Coカードを読み取る場合に磁力が弱くなりすぎないように薄板状部材の好適な厚さを選択することができる。（ａ）はこの条件下での波形を示す。
【００３５】
（ｂ）は、従来のLo-Coカード用磁気カードリーダーでHi-Coカードを読み取ったために読取エラーが発生する場合の波形である。Hi-Coカードは磁気が強すぎるため、立ち上がりのリンギングが強調されて波形が崩れてしまう。（ｂ）に示す様に、あたかもノイズが重畳されたかのような波形になる。そのため、信号のレベルを正しく検出できず読取エラーとして認識される。
【００３６】
（ｃ）は、（ｂ）のようなLo-Coカード用磁気カードリーダーに薄板状部材を取り付けたこの発明の構成で、Hi-Coカードを読み取った場合の波形である。薄板状部材により磁気ストライプと磁気カードとの間に所定のギャップが形成される。そのため、磁気ヘッドに届く磁力が弱まる。（ｂ）の波形に比べてリンギングが減少し、（ａ）の正常な波形に近づく。よって、読取エラーとして認識されることなく、正常な信号の検知が行える。
【００３７】
摩擦により磁気カードの移動速度が遅くなっても同様の効果が得られる。磁気ストライプの移動速度が速いということは、磁気エネルギーが多く発生するということであり、移動速度が遅くなると磁気ヘッドに届く磁力は弱くなる。すると、リンギングの強調が緩和され、あたかもノイズ成分が減少したかのような効果が得られる。波形でいえば、（ｂ）から（ｃ）への変化が得られる。よって、読取エラーとして認識されることなく、正常な信号の検知が行える。
【００３８】
≪薄板状部材の好適な条件≫
発明者の知見によれば、薄板状部材は、以下の条件を満たさなければならない。
第１に、薄板状部材の厚さは、磁気ストライプと磁気ヘッドとの間に形成されるギャップの大きさを決定する。薄板状部材が厚すぎてギャップが大きすぎると、磁気ヘッドに届く磁力が弱すぎてLo-Coカードの磁気ストライプを正しく読み込めない。逆に薄すぎてギャップが小さいと磁気ヘッドに届く磁力が強すぎてHi-Coカードの磁気ストライプを正しく読み込めない。好適な厚さが存在する。
【００３９】
第２に、薄板状部材の材質が柔らかいと、カードとの摩擦によって薄板状部材が破れてしまい、必要な耐久性が得られない。
第３に、薄板状部材の材質が磁性体であると、磁気ストライプと磁気ヘッドとの間が磁気的に遮蔽されてしまい、磁気ストライプを正しく読み取ることができない。即ち、磁気シールド部材として機能してしまう。
【００４０】
以上の条件を満たす薄板状部材を見出すため、発明者らは実験を重ねた結果、シート状のステンレス鋼が上記条件を満たし得ることを見出した。ステンレス鋼は非磁性であり、耐久性、耐食性に優れているためである。ステンレス鋼の種類としてはオーステナイト系のＳＵＳ３１６が好ましい。それ以外にオーステナイト系のＳＵＳ２０１、ＳＵＳ２０２、ＳＵＳ３０１、ＳＵＳ３０２、ＳＵＳ３０３、ＳＵＳ３０４、ＳＵＳ３０５あるいはＳＵＳ３１７をはじめとして非磁性のものであれば適用可能であると考えられる。また、ステンレスシートの好適な厚さは50μｍであった。これよりも厚い100μｍ厚の非磁性ステンレスシートでは、ギャップが大きすぎて前記第１の条件を満たさなかった。
また、ステンレスシートに代えてポリエチレン・テレ・フタレイト樹脂からなるシートを試したが、柔らかすぎて第２の条件を満たさなかった。つまり、耐久性が不足し、破損してしまった。
【００４１】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００４２】
１１：磁気カードリーダー
１３：磁気カード
１５：磁気ストライプ
２１：ベース
２３：磁気ヘッド
２５：ステンレスシート
２７：駆動ローラ
２９：テンションローラ
３１：搬送ベルト
３３ａ、３３ｂ：圧接ローラ
３５：上部ユニット
３７ａ、３７ｂ：両面テープ
３９：ヒンジ
【図１】
2012027707.tif 000003
【図２】
2012027707.tif 000004
【図４】
2012027707.tif 000005
【図３】
2012027707.tif 000006